(57)【特許請求の範囲】
【請求項１】
一端を丁番などにより回動自在に枢支された扉の開放端側の少なくとも上端部と下端部の２箇所以上にラッチ錠を取り付け、閉扉時は上記ラッチ錠により施錠されると共に、開扉時は室内側または室外側に設けられた１個のハンドルの操作によって、上記ラッチ錠を同時に解錠して開扉できるようにした扉錠であって、
前記ラッチ錠は反転式ラッチ錠を用い、この反転式ラッチ錠を操作するハンドルは、プッシュ・プル式のハンドルであり、該プッシュ・プル式のハンドルの上端部は扉の上端部に設けられた反転式ラッチ錠の座に腕部を介して枢支され、下端部は扉の下端部に設けられた反転式ラッチ錠の座に腕部を介して枢支され、
前記腕部の一端には、前記室外側の座又は室内側の座に固定された軸受にテコの基端部を枢支すると共に、該テコの先端部は前記座から突出して反転式ラッチ錠の錠ケース内に挿入され、このテコの作動により錠ケースに内蔵した施錠部材で反転式ラッチ錠が作動され前進後退可能とし、前記プッシュ・プル式のハンドルを開扉方向に押すまたは引くことによって、前記反転式ラッチ錠を同時に解錠して開扉できるようにしてあることを特徴とする扉錠。
【発明の詳細な説明】
【技術分野】
【０００１】
本発明は、扉の開放端側の少なくとも上端部と下端部の２箇所、または中央部と上端部および下端部の３箇所にラッチ錠を取り付け、それらの少なくとも２箇所または３箇所のラッチ錠を、室内側または室外側のハンドルの操作により同時に解錠して開扉できると共に、閉扉時に扉は上記少なくとも２箇所または３箇所のラッチ錠により施錠される構成とすることにより、火災が発生しても熱による扉の反りを防止し、炎や煙の拡散を防ぐことができるようにした扉錠に関する。
【背景技術】
【０００２】
従来の扉錠は、例えば実開昭６０−９０３６７号公報（以下、特許文献１という。）に示されているように、１個のラッチ錠が、扉の上下方向の略中央部に設けられるものであった。
【先行技術文献】
【特許文献】
【０００３】
【特許文献１】実開昭６０−９０３６７号公報
【発明の概要】
【発明が解決しようとする課題】
【０００４】
しかしながら、前記特許文献１の扉錠は、閉扉時には、ラッチ錠のラッチは必ず相手側の枠の受穴に係合して施錠されるが、この施錠部は扉の上下方向の略中央部の１箇所である。このため、若し建屋内に火災が発生した場合、熱で扉の室内側の面が膨張して扉に反りが生じるが、扉の中央部はラッチ錠で施錠されて固定されているので変位しないものの、上端部と下端部は施錠されていないので、図８に示すように、扉Ｄの上下方向の略中央部に１個のラッチ錠０２を設けた扉は室外側に大きく変位する。その結果、扉の上端部と下端部の隙間から炎や煙が拡散して被害が拡大するという問題点があった。
なお、図８において、０３はラッチ、０４は室外側のハンドル、０５は室内側のハンドルである。
【０００５】
また、従来の扉錠で、扉の３箇所を施錠する三点締り錠というものがあるが、これは防犯上の目的で３箇所をデッドボルトで本施錠するようにしたものであり、ラッチ錠のように閉扉した時は必ず自動的に施錠されるものではない。そして、本施錠するにはキーやサムターンの操作が必要であり、中央部の１箇所にはラッチ錠を取り付けて使用されるものであった。
従って、３箇所の錠が本施錠されていない状態で火災が発生した場合、上記と同様に扉の反りを防止することができなかった。
【０００６】
本発明は、上記従来の扉錠の有する問題点を解消しようとするものであり、扉の開放端側の少なくとも上端部と下端部の２箇所、または中央部と上端部および下端部の３箇所を反転式ラッチ錠で施錠するようにしたものであり、閉扉時には必ず少なくとも２箇所または３箇所が反転式ラッチ錠で施錠されるので、火災発生時にも扉の反りの発生を確実に防ぐことができ、炎や煙の拡散を防ぐことのできる扉錠を提供することを目的とする。
【課題を解決するための手段】
【０００７】
上記目的を達成するため、本発明の請求項１の扉錠は、一端を丁番などにより回動自在に枢支された扉の開放端側の少なくとも上端部と下端部の２箇所以上にラッチ錠を取り付け、閉扉時は上記ラッチ錠により施錠されると共に、開扉時は室内側または室外側に設けられた１個のハンドルの操作によって、上記ラッチ錠を同時に解錠して開扉できるようにした扉錠であって、
前記ラッチ錠は反転式ラッチ錠を用い、この反転式ラッチ錠を操作するハンドルは、プッシュ・プル式のハンドルであり、該プッシュ・プル式のハンドルの上端部は扉の上端部に設けられた反転式ラッチ錠の座に腕部を介して枢支され、下端部は扉の下端部に設けられた反転式ラッチ錠の座に腕部を介して枢支され、
前記腕部の一端には、前記室外側の座又は室内側の座に固定された軸受にテコの基端部を枢支すると共に、該テコの先端部は前記座から突出して反転式ラッチ錠の錠ケース内に挿入され、このテコの作動により錠ケースに内蔵した施錠部材で反転式ラッチ錠が作動され前進後退可能とし、前記プッシュ・プル式のハンドルを開扉方向に押すまたは引くことによって、前記反転式ラッチ錠を同時に解錠して開扉できるようにしてあることを特徴とする。
【発明の効果】
【０００８】
請求項１の扉錠によれば、一端を丁番などにより回動自在に枢支された扉の開放端側の少なくとも上端部と下端部の２箇所以上にラッチ錠を取り付け、閉扉時は上記ラッチ錠により施錠されると共に、開扉時は室内側または室外側の１個のハンドルの操作によって、上記ラッチ錠を同時に解錠して開扉できるようにしているから、閉扉時には、上端部と下端部の少なくとも２箇所の前記ラッチ錠によって確実に施錠されるので、強固な施錠状態が得られると共に、１個のハンドルの操作によりそれらの各ラッチ錠を同時に解錠して開扉できる。また、火災が発生した場合、少なくとも２箇所のラッチ錠の施錠により扉の反りを防ぐことができるので、炎や煙の拡散を防止することができる。
【０００９】
また、前記ラッチ錠は反転式ラッチ錠を用い、この反転式ラッチ錠を操作するハンドルはプッシュ・プル式のハンドルであり、該プッシュ・プル式のハンドルの上端部は扉の上端部に設けられた反転式ラッチ錠の座に腕部を介して枢支され、下端部は扉の下端部に設けられた反転式ラッチ錠の座に腕部を介して枢支され、前記腕部の一端には、前記室外側の座又は室内側の座に固定された軸受にテコの基端部を枢支すると共に、該テコの先端部は前記座から突出して反転式ラッチ錠の錠ケース内に挿入され、このテコの作動により錠ケースに内蔵した施錠部材で反転式ラッチ錠が作動され前進後退可能とし、前記プッシュ・プル式のハンドルを開扉方向に押すまたは引くだけで反転式ラッチ錠を同時に解錠してそのまま開扉することができるので、極めて操作性に優れている。また、プッシュ・プル式のハンドルは扉の上端部の反転式ラッチ錠から下端部の反転式ラッチ錠の位置まで配置されるので、ハンドルの高い部分または低い部分のどこでも操作できるので便利である。
【図面の簡単な説明】
【００１０】
【図１】本発明の実施例１の扉錠を室外側から見た正面図である。
【図２】図１の扉錠を左側から見た左側面図である。
【図３】図１の扉錠を室内側側から見た正面図である。
【図４】図１の扉錠を平面から見た平面図である。
【図５】図４の要部断面図である。
【図６】図１の反転式ラッチ錠のケース内部を示す正面図である。
【図７】本発明の実施例２の扉錠を室外側から見た正面図である。
【図８】従来の扉錠を扉の開放端側から見た図である。
【発明を実施するための形態】
【００１１】
本発明の扉錠は、扉の開放端側の少なくとも上端部と下端部の２箇所以上に反転式ラッチ錠を取り付け、閉扉時は上記反転式ラッチ錠により施錠されると共に、開扉時は室内側または室外側に設けられた１個のハンドルの操作によって、上記反転式ラッチ錠を同時に解錠して開扉できるようにしたことを特徴とする。詳しくは以下に説明する実施例１を参照するとよい。
【実施例１】
【００１２】
本発明の扉錠の実施例１を図１〜図６に基づいて以下に説明する。
この扉錠１は、丁番Ｈなどにより回動自在に枢支された扉Ｄの開放端部の上端部と下端部に取り付けられた反転式ラッチ錠２と、それらの反転式ラッチ錠２、２を解錠操作する室外側のハンドル４と室内側のハンドル５とを主要部に備えている。
【００１３】
ハンドル４、５は、プッシュ・プル式のハンドルであって、その上端部と下端部が、反転式ラッチ錠２に対応する個所に取り付けられた室外側の座６及び室内側の座７に、各々回動自在に枢支されている。
【００１４】
このハンドル４、５の構成は従来公知の構成であり、その概略を説明すると、図４及び図５に示すように、ハンドル４、５と一体の腕部４１、５１の端部４２、５２が、座６、７に固定された軸受４４，５４に回動自在に軸４３、５３で枢支されている。
【００１５】
図４〜図６に示された８、９はＬ字状の板状体からなるテコで、そのテコの基端部は室外側の座６又は室内側の座７に固定された軸受４４、５４に枢軸８１，９１により回動自在に枢支されている。なお、テコ８、９の先端部は座６，７から突出し、反転式ラッチ錠２の錠ケース２ａ内に挿入される。また、枢軸８１、９１に隣接して形成された穴に、ハンドル４、５に固設された作動ピン４５、５５が係合されている。
そして、室外側のハンドル４を開扉方向に引くと、ハンドル４は軸４３を中心に時計方向に回動し、作動ピン４５によりテコ８の係合部が押されて、テコ８も時計方向に回動する。(図５の２点鎖線状態。）
【００１６】
また、室内側のハンドル５を開扉方向に押すと、ハンドル５は軸５３を中心に時計方向に回動し、作動ピン５５によりテコ９の係合部が押されて、テコ９も時計方向に回動する（図５の２点鎖線状態。）。
【００１７】
なお、扉の上端部と下端部に取り付けられる反転式ラッチ錠２は、図６に示されるように従来公知の反転式のラッチ３を使用したものである。
【００１８】
次に、上記実施例１の扉錠の動作を以下に説明する。
図１〜図６に示す閉扉状態では、反転式ラッチ錠２のラッチ３はバネ３４の付勢力により錠ケース２ａから突出し、枠Jに設けた受座２０の受穴２１に係合して施錠されている。この施錠状態では、扉Ｄに風圧などがその開扉方向に作用しても、ラッチ３の直線状の背面部３２が受穴２１の端縁部に押し付けられ、ラッチは図５において時計方向に回転（反転）しようとするが、ラッチ３の後端部の係止溝３３、３３に施錠部材１０、１１の施錠部１０ａ、１１ａが係合しているので、ラッチ３の反転は阻止される。従って、反転式ラッチ錠２の施錠状態では、扉に開扉方向の力が作用しても、扉Ｄは閉扉状態が保持される。
【００１９】
なお、後述するように、ハンドルの操作によって上記施錠部材１０，１１とラッチ３との係合が解除される（解錠される）と、開扉方向の力によりラッチ３は図５の２点鎖線で示す状態に反転し、背面部３２が斜面部３１に変換されるので、開扉方向の力でその斜面部３１が受穴２１の端縁部に押されることになり、ラッチ３は錠ケース２ａ内に後退し、開扉されることになる。
【００２０】
ところで、反転式ラッチ錠２は、扉Ｄの開放端側の少なくとも上端部および下端部の２箇所以上に取り付けられるので、閉扉した時、扉は少なくとも２箇所以上で施錠される。従って、建屋内に火災が発生した場合に、扉が熱で膨張して扉の上端部と下端部が室外側に移動する方向に反りが生じようとしても、上端部と下端部の反転式ラッチ錠の施錠により確実に反りの発生を防ぐことができ、炎や煙の拡散を防ぐことができる。
【００２１】
前記室外側のハンドル４及び室内側のハンドル５に設けられたテコ８、９の先端部は、図６に示すように反転式ラッチ錠２の錠ケース２ａ内に挿入され、室外側のハンドル４のテコ８は右側の作動部材１２の折曲片１２ｃに当接され、室内側のハンドル５のテコ９は左側に位置する施錠部材１０の折曲片１０ｃに当接されている。
【００２２】
また、反転式ラッチ錠２の施錠部材１０、１１は上下一対に設けられ、それらの施錠部１０ａ、１１ａがラッチ３の後端部の上下に設けた係止溝３３、３３にそれぞれ係合している。
【００２３】
ところで、上部の施錠部材１０はＬ字状の板状体であり、中央部が錠ケース２ａに軸１０ｂで回動自在に枢支され、先端部に設けた施錠部１０ａがラッチ３の上部の係止溝３３に係合している。また、その後端部には折曲片１０ｃが形成され、室内側のテコ９に当接されている。なお、１５は軸１０ｂに掛架したキックバネで一端を錠ケース２ａに、他端を施錠部材１０の折曲片１０ｃに当接させて、施錠部材１０を反時計方向の回動方向に付勢している。
【００２４】
下部の施錠部材１１は、略逆Ｔ字状の板状体であり、中央部が軸１１ｂにより錠ケース２ａに回動自在に枢支され、先端部の施錠部１１ａがラッチ３の下部の係止溝３３に係合している。また、施錠部材１１の後端部には左右方向の長穴１１ｃが形成され、前述の作動部材１２の一端に固設された軸１４が挿通されて、施錠部材１１と作動部材１２とが連結されている。
【００２５】
また、施錠部材１１の基部には上下方向の長穴１１ｄが形成され、前記上部の施錠部材１０に固設された軸１３が挿通されて、上部の施錠部材１０と下部の施錠部材１１とが連結されている。
【００２６】
なお、作動部材１２は、錠ケース２ａの後端部に設けられたもので、略Ｌ字状の板状体であり、中央部が錠ケース２ａに軸１２ｂで回動自在に枢支してあり、一端部に設けた折曲片１２ｃが室外側のテコ８に当接されている。また、軸１２ｂにはキックバネ１６が掛架され、一端を折曲片１２ｃに当接し他端を錠ケース２ａに当接して、作動部材１２を反時計方向の回動方向に付勢している。
【００２７】
次に、室外側のハンドル４を操作して開扉方向に引くと、前記の通り図５の２点鎖線で示すように室外側のハンドル４のテコ８は時計方向に回動し、図６においてテコ８は右側へ移動することになる。すると、テコ８が、テコ８に当接する作動部材１２の折曲片１２ｃを右方向に押して、作動部材１２を時計方向に回動させるので、連結部の軸１４によって下部の施錠部材１１は反時計方向に回動され、施錠部１１ａとラッチ３の係止溝３３との係合が外れる。
【００２８】
そして、下部の施錠部材１１が反時計方向に回動すると、連結部の軸１３によって上部の施錠部材１０も連動して時計方向に回動し、施錠部１０ａとラッチ３の係止溝３３との係合が外れる。すなわち、室外側のハンドル４の操作によってテコ８を介して施錠部材１０、１１とラッチ３との係合が外れるので、反転式ラッチ錠は解錠される。
【００２９】
また、室内側のハンドル５を操作して開扉方向に押すと、前記の通り図５の２点鎖線で示すように室内側のハンドル５のテコ９は反時計方向に回動し、図６においては左側へ移動することになる。すると、テコ９が、テコ９に当接する施錠部材１０の折曲片１０ｃを押して、施錠部材１０を時計方向に回動させるので、施錠部材１０の施錠部10ａとラッチ３の係止溝３３との係合が外れ、連結部の軸１３によって下部の施錠部材１１も反時計方向に回動され、施錠部１１ａとラッチ３の係止溝３３との係合が外れ、反転式ラッチ錠は解錠される。
【００３０】
上記の通り、室外側のハンドル４または室内側のハンドル５の操作により、テコ８または９を介して上下の施錠部材１０、１１は同時に回動されて、施錠部１０ａ、１１ａとラッチ３の係止溝３３、３３との係合が外れるので、ラッチ３は反転可能となりラッチ錠は解錠されることになる。そして、ハンドル４またはハンドル５を開扉方向に引き又は押し続けることによって開扉することができる。
【実施例２】
【００３１】
本発明の実施例２を図７に基づいて説明する。
この実施例２の扉錠１Ｂは、扉Ｄの略中央部と上端部および下端部の３箇所に反転式ラッチ錠２を取り付け、それらの反転式ラッチ錠２を１個のプッシュ・プル式のハンドルで解錠操作できるようにしたことを特徴とするものである。なお、反転式ラッチ錠２は実施例１の反転式ラッチ錠２と同じものであり、前記実施例１に対し、扉の略中央部にも反転式ラッチ錠２を取り付けた点で異なるものであり、当該中央部の反転式ラッチ錠もハンドル４、５に連結され、ハンドル４、５の操作により上記３箇所の反転式ラッチ錠２を同時に解錠できるようにしたものである。
【００３２】
図７は前記実施例２の扉錠１Ｂの扉Ｄを室外側から見た正面図であり、扉の略中央部に取り付けた反転式ラッチ錠２に対応する扉の内外に、室内側の座（図示せず）と室外側の座６とが取り付け固定され、それぞれの座には室内側ハンドル（図示せず）および室外側ハンドル４がその腕部４１を介して回動自在に枢支されている。また、それぞれの座にはハンドルの回動操作に連動するテコ（図示せず）が設けられ、それぞれのテコの先端部は反転式ラッチ錠２の錠ケース内に挿入され、例えば、室内側ハンドル（図示せず）を開扉方向に押す、または、室外側ハンドルを開扉方向に引くことによって、３箇所の反転式ラッチ錠を同時に解錠して開扉することができる。
【００３３】
なお、実施例２の反転式ラッチ錠２やハンドルの構成およびハンドルの操作による反転式ラッチ錠２の解錠機構などは、すべて実施例１と同じであるので、その説明は省略する。
【００３４】
以上の通り、本発明の実施例２の扉錠１Ｂによれば、閉扉状態では、扉Ｄはその略中央部と上端部および下端部の３箇所の反転式ラッチ錠２で施錠されるので、実施例１に比べ更に強固な扉の施錠状態を得ることができる。従って、実施例１の効果に加え、火災が発生した場合でも、更に確実に扉の反りの発生を防ぐことができる。
【符号の説明】
【００３５】
１、１Ｂ           扉錠
２  反転式ラッチ錠
３                 ラッチ
２ａ、１０９        錠ケース
４                  室外側のハンドル
５                  室内側のハンドル
６                  室外側の座
７                  室内側の座
８、９              テコ
１０、１１、１０７  施錠部材
２０                受座
【図１】
0005886549.tif 000002
【図２】
0005886549.tif 000003
【図３】
0005886549.tif 000004
【図４】
0005886549.tif 000005
【図５】
0005886549.tif 000006
【図６】
0005886549.tif 000007
【図７】
0005886549.tif 000008
【図８】
0005886549.tif 000009